(57)【要約】      （修正有）【課題】実際の手の立体形状がリアルに再現された手形を備えるプレートを提供する。【解決手段】立体手形プレートは、台紙２と、台紙から手形表示面が突出した立体成形手形１と、を備える。成型手形は、実際の人の手を粘土等に押し付けることにより直接採取された凹型の手帳を基に作成された金型を用いて射出成形により形成される。【選択図】図１
0003206076.tif 000002
【実用新案登録請求の範囲】
【請求項１】
平板部と、
立体成形された手形であって、前記平板部から手形表示面が突出する立体成形部と、を備える、
ことを特徴とする立体手形プレート。
【請求項２】
前記立体成形部は、弾性体で構成される、
ことを特徴とする請求項１に記載の立体手形プレート。
【請求項３】
前記立体成形部が載置される板状部材と、
前記立体成形部の厚み方向下端の周縁部の少なくとも一部に形成された羽根部と、をさらに備え、
前記平板部は、前記立体成形部の外形と略同一形状に型抜かれた孔部を有し、
前記立体成形部は、厚み方向上面が前記孔部を貫通するとともに、前記羽根部が前記板状部材の上面と前記平板部の下面とに挟持されることにより前記板状部材に固定される、
ことを特徴とする請求項１または２に記載の立体手形プレート。
【請求項４】
前記立体成形部の厚み方向上面は手のひらを模した形状であって、
前記立体成形部は、所定の透過度を有するように、前記手のひらを模した形状の略中央部分が他の部分よりも薄く、
前記板状部材は、前記立体成形手形が載置された状態において、少なくとも前記略中央部分と一致する部分の色が暖色系である、
ことを特徴とする請求項１から３のいずれか一項に記載の立体手形プレート。
【考案の詳細な説明】
【技術分野】
【０００１】
本考案は、立体手形プレートに関する。
【背景技術】
【０００２】
従来、合成樹脂等からなるパネルにレーザー光によって彫刻された手形や、凹型に型取られた手形を備えた記念帳あるいは販促品等が知られている（例えば特許文献１、２参照）。
【先行技術文献】
【特許文献】
【０００３】
【特許文献１】実用新案登録第３１１７７３６号公報
【特許文献２】実開平０２−４４０７２号公報
【考案の概要】
【考案が解決しようとする課題】
【０００４】
しかしながら、特許文献１、２に開示された手形は、平面あるいは凹型の形状である為、実際の手の立体形状とは相違する。すなわち、特許文献１、２に開示されたような従来の手形は、手の形状に係る情報を表示してはいるものの、実際の手の形状をリアルに再現するものではない。
【０００５】
本考案は、実際の手の形状がよりリアルに再現された手形を備えるプレートを提供することを目的とする。
【課題を解決するための手段】
【０００６】
本考案による立体手形プレートは、平板部と、立体成形された手形であって、平板部から手形表示面が突出した立体成形部と、を備える。
【考案の効果】
【０００７】
本考案によれば、実際の手を模して立体成形された手形が平板部材から突出するように構成されるので、実際の手の立体形状がよりリアルに再現された手形を備えるプレートを提供することができる。
【図面の簡単な説明】
【０００８】
【図１】図１は、第１実施形態の立体手形プレートの斜視図である。
【図２】図２は、成形手形を示す図である。
【図３】図３は、型取られた手形を示す図である。
【図４】図４は、台紙を示す図である。
【図５】図５は、図１の断面図である。
【図６】図６は、立体手形プレートを備える製品例を示す図である。
【図７】図７は、第２実施形態の立体手形プレートの斜視図である。
【考案を実施するための形態】
【０００９】
−第１実施形態−
図１は、第１実施形態の立体手形プレート１００を斜め上方から見た斜視図である。立体手形プレート１００は、立体成形部１（以下、成形手形１という）と、台紙（平板部）２と、下敷き（板状部材）３と、から構成される。成形手形１の上面（図１の上方）は、手のひらを模した表示面が突出した立体形状を示し、下面は下敷き３の上面に載置されている。台紙２については後述する。
【００１０】
図２は、成形手形１を上面側から見た正面図である。本実施形態の成形手形１は、実際の人の手を粘度等に押し付けることにより直接採取された凹型の手型６（図３参照）を基に作成された金型を用いた、いわゆる射出成形により形成される。
【００１１】
ここで、一般的な射出成形とは、加熱溶融させた材料を金型内に射出注入し、当該材料を冷却・固化させることにより成形品を得る成形方法である。本実施形態においては、射出成形に用いる材料として、エラストマー樹脂や軟質塩化ビニール樹脂、シリコン樹脂等の熱可塑性の軟質樹脂を使用する。また、ここで用いられる軟質樹脂は、ある程度の透過性（程度については後述する）を残しつつ、肌色に着色されたものを使用する。
【００１２】
人の手から直接採取された凹型の手形を元に作成された成形手形１は、図２で示すように、手形を採取された人の手のひらの形状がほぼ忠実に再現される。したがって、成形手形１に現れるしわや手相は、手形を採取された本人固有の形状となる。また、手のひらの中央部分１ａは、実際の手と同様に窪み、親指の付け根の拇指球部１ｂなどは盛り上がる。
【００１３】
また、成形手形１は、弾性体により形成される。本実施形態では、その素材であるエラストマー樹脂等の軟質樹脂の架橋密度を調整することによって、人の手のひら相当の弾力性を有するように形成される。これにより、人の手の質感をよりリアルに再現することができる。
【００１４】
他方、成形手形１の下面（厚み方向下側の面）は、平面に形成される。そして、本実施形態の成形手形１は、成形手形１の下端の周縁に、薄い羽根状の部位である羽根部４を有する。羽根部４の機能については後述する。
【００１５】
図４は、台紙２を斜め上方から見た斜視図である。台紙２は、厚紙あるいは薄いプラスチック等の平板状部材で構成される。台紙２には、成形手形１の外形（羽根部４を除く外周縁）と同形にくり抜かれた孔部５が形成される。
【００１６】
図５は、立体手形プレート１００の構成を説明するための図であって、図１のＡ−Ａ断面とＢ−Ｂ断面とを示した図である。ただし、分かり易さを重視して、各構成の上下方向に所定幅の空間を有して描いている。
【００１７】
Ａ−Ａ断面およびＢ−Ｂ断面には、成形手形１、台紙２、および、下敷き３の断面が描かれている。なお、Ａ−Ａ断面に係る成形手形１は、中指先端の中央から手首の中央までを結ぶ断面図である。Ｂ−Ｂ断面に係る成形手形１は、人差し指、中指、および薬指の断面図である。
【００１８】
立体手形プレート１００は、成形手形１の下面が下敷き３の上面に載置されるとともに、台紙２の孔部５に成形手形１の上面（手形表示面）が貫通した状態で、台紙２と下敷き３とが重なり合って構成される。この時、成形手形１の羽根部４は下敷き３の上面と台紙２の下面とで挟持される。なお、台紙２と下敷き３とは、接着剤や両面テープ等により接着される。その結果、成形手形１は、下敷き３の上面に位置ずれを生じることなく載置される。
【００１９】
また、羽根部４は、成形手形１の下端の全周にわたって形成される必要は必ずしもなく、下端周縁の一部分であってもよい。また、羽根部４は、射出成形による成形手形１の成形過程において、金型分割面（パーディング面）に通常発生し得る「バリ」であってもよい。バリを羽根部４として利用することにより、成形手形１の製造過程からバリ処理工程を削減することができる。
【００２０】
次に、成形手形１の色彩について説明する。成形手形１は、顔料を添加して肌色に着色された軟質樹脂を用いて射出成形されるので、固化した後の完成品も肌色となる。しかしながら、実際の人の手には血色やつやがあり、単に肌色であるだけではない。そこで、本考案に係る成形手形１は、その透過度を調整することによって、色彩の観点からも実際の人の手をリアルに表現できるように工夫されている。
【００２１】
図５のＡ−Ａ断面で示すとおり、成形手形１は、その上面が人の手のひらを模した形状を有しているため、手のひらの中央部分１ａは薄く、親指の付け根部分に当たる拇指球部１ｂは厚いなど、手の部位によって厚みが異なる。本実施形態の成形手形１の透過度は、少なくとも手のひらの中央部分１ａにおいて、上面側から下面側が透けるように調整される。
【００２２】
一方で、下敷き３は、その上面が、赤、ピンク、あるいはオレンジといった暖色系の色のものを用いる。あるいは、成形手形１が載置された状態において、下敷き３の上面における少なくとも成形手形１の手のひら中央部分１ａと一致する箇所が、暖色系に着色される。
【００２３】
立体手形プレート１００がこのように構成されることにより、手のひらの中央部分１ａにおいて、上面側から下敷き３の暖色系の赤みが透けて見える。その結果、成形手形１の色彩に、手の血色の要素が加わるので、実際の人の手の色や印象をよりリアルに表現することができる。
【００２４】
また、成形手形１に血色を加えるために、塗料等を用いて樹脂の表面を直接着色する必要がないので、樹脂の透過性に起因するつや感を損なうこともない。またさらに、塗料および着色工程を要しないので、血色のある生身の手の色彩を低コストで表現することができる。
【００２５】
続いて、これまで説明した立体手形プレート１００を用いた製品例を説明する。
【００２６】
図６は、本考案に係る製品例である。本製品例では、立体手形プレート１００が箱に納められた状態で需要者に提供される。箱は、特に限定しないが、例えば図示するようなフタと身箱（下箱）が分離するいわゆるＣ式の箱を使用する。
【００２７】
図示するとおり、立体手形プレート１００は、下箱に載置される。具体的には、上面がピンク色の下敷き３を下箱にセットし、その上に成形手形１が載置される。そして、下箱の面積とほぼ同程度の大きさで、成形手形１の羽根部４を除く周縁形状と同形状の孔部５を有する台紙２を、下敷き３の上面に、成形手形１の上面が孔部５を貫通するように重ねる。
【００２８】
この時、台紙２と下敷き３間には両面テープが配置される。この両面テープにより、台紙２の下面と、下敷き３の上面とが、羽根部４を挟持した状態で接着される。
【００２９】
また、台紙２の上面には種々の情報が表示される。例えば、手形本人の写真や名前、手形を採取した日等の情報、手形本人のサイン、あるいはメッセージ等が記載される。
【００３０】
そして、フタと下箱とが重なることにより、立体手形プレート１００を内部に収める一製品が完成する。なお、フタには、製品名や、手形本人あるいは管理会社等の商標等が記載される。
【００３１】
以上、第１実施形態における立体手形プレート１００は、台紙２と、立体成形された手形であって、台紙２から手形表示面が突出した成形手形１と、を備える。これにより、実際の手の立体形状をよりリアルに再現する手形を備えたプレートを提供することができる。
【００３２】
また、立体手形プレート１００によれば、成形手形１が弾性体により構成される。これにより、実際の手の質感もよりリアルに再現することができる。
【００３３】
また、立体手形プレート１００によれば、成形手形１が載置される下敷き３と、成形手形１の厚み方向下端の周縁部の少なくとも一部に形成された羽根部４と、をさらに備え、台紙２は、成形手形１の外形と略同一形状に型抜かれた孔部５を有し、成形手形１は、厚み方向上面が孔部５を貫通するとともに、羽根部４が下敷き３の上面と台紙２の下面とに挟持されることにより下敷き３に固定される。これにより、成形手形１は、下敷き３の上面に位置ずれを生じることなく載置される。また、成形手形１の成形過程において発生するバリを羽根部４として利用できるので、製造工程におけるバリ取り工程を削減することができ、製造コストを低減することができる。
【００３４】
また、立体手形プレート１００によれば、成形手形１の厚み方向上面は手のひらを模した形状であって、成形手形１は、所定の透過度を有するように、手のひらを模した形状の略中央部分１ａが他の部分よりも薄い。そして、下敷き３は、成形手形１が載置された状態において、少なくとも略中央部分１ａと一致する部分の色が暖色系である。これにより、成形手形１を着色する必要なく、成形手形１に血色のある生身の手の色彩を表現することができる。
【００３５】
−第２実施形態−
以下では、立体手形プレートの他の実施形態について説明する。第２実施形態の立体手形プレート２００は、成形手形１が金属板で構成される。具体的には、例えば、スズをめっきした薄い鉄板（ブリキ板）を、人の手から直接採取された凹型の手型６（図３参照）をベースに作成された金型を用いてプレス加工することにより成形される。
【００３６】
これにより、鉄板で形成された表示面が突出してなる立体成形手形が作製される。なお、第１実施形態と同様に、表示面には手形を採取した本人の手相やしわが表現される。また、成形手形１の表示面をカラー印刷することにより、実際の手の色を再現してもよい。
【００３７】
またさらに、立体手形プレート２００の成形手形１は鉄板で構成されるので、第１実施形態では用いられていた台紙２および下敷き３を省略することもできる。すなわち、立体手形プレート２００は、略中央に成形手形１が形成され、且つ、周縁が例えば梱包用の下箱の形状に合わせた四角形状に成形された一枚の鉄板１ｃにより構成されても良い。その場合は、鉄板１ｃの上面であって、成形手形１以外の部分に、手形本人の種々の情報を記載しても良い（図７参照）。
【００３８】
以上、第２実施形態の立体手形プレート２００は、鉄板と、立体成形された手形であって、鉄板から手形表示面が突出した成形手形１と、を備える。これにより、実際の手の立体形状が再現された手形を備えたプレートを提供することができる。
【００３９】
本考案は、上述した一実施の形態に限定されることはない。例えば、第１実施形態の成形手形１の素材として挙げた軟質樹脂の種類は例示であって、成形手形１が弾性を有する限り、特に限定されるものではない。
【００４０】
また、成形手形１は手のひらを模したものとして説明したが、手の甲を模した形状であってもよい。またさらに、手に限らず、足や耳、唇等の人体を構成する他の部位、あるいは、犬や猫の肉球など、他の生物の一部分であっても良い。
【００４１】
また、第１実施形態の説明で述べた成形手形１の透過度は、成形手形１の最も薄い部分で上面側から下面側の色調が確認される限り、特に限定されない。例えば、最も厚い部分においても下面側の色調が上面側に透過してもよく、適宜調整される。
【００４２】
また、第１実施形態で説明した下敷き３は、製品状態においては台紙２の下に隠れるので、その形状は特に限定されない。また、一製品例においては、下箱を下敷き３として利用してもよい。
【００４３】
またさらに、第２実施形態の立体手形プレート２００は、必ずしも金属板で形成される必要はなく、プラスチック等を用いたブロー成形により作製されてもよい。
【符号の説明】
【００４４】
１…成形手形（立体成形部）
１ａ…手のひらの略中央部分
１ｂ…拇指球部
２…台紙（平板部）
３…下敷き（板状部材）
４…羽根部
５…孔部
【図１】
0003206076.tif 000003
【図２】
0003206076.tif 000004
【図３】
0003206076.tif 000005
【図４】
0003206076.tif 000006
【図５】
0003206076.tif 000007
【図６】
0003206076.tif 000008
【図７】
0003206076.tif 000009
【手続補正書】
【提出日】平成28年6月28日(2016.6.28)
【手続補正１】
【補正対象書類名】実用新案登録請求の範囲
【補正対象項目名】全文
【補正方法】変更
【補正の内容】
【実用新案登録請求の範囲】
【請求項１】
平板部と、
立体成形された手形であって、前記平板部から手形表示面が突出する立体成形部と、を備える、
ことを特徴とする立体手形プレート。
【請求項２】
前記立体成形部は、弾性体で構成される、
ことを特徴とする請求項１に記載の立体手形プレート。
【請求項３】
前記立体成形部が載置される板状部材と、
前記立体成形部の厚み方向下端の周縁部の少なくとも一部に形成された羽根部と、をさらに備え、
前記平板部は、前記立体成形部の外形と略同一形状に型抜かれた孔部を有し、
前記立体成形部は、厚み方向上面が前記孔部を貫通するとともに、前記羽根部が前記板状部材の上面と前記平板部の下面とに挟持されることにより前記板状部材に固定される、
ことを特徴とする請求項１または２に記載の立体手形プレート。
【請求項４】
前記立体成形部の厚み方向上面は手のひらを模した形状であって、
前記立体成形部は、所定の透過度を有するように、前記手のひらを模した形状の略中央部分が他の部分よりも薄く、
前記板状部材は、前記立体成形部が載置された状態において、少なくとも前記略中央部分と一致する部分の色が暖色系である、
ことを特徴とする請求項３に記載の立体手形プレート。